(57)【要約】【課題】簡単な操作で施錠状態から扉を半開状態にすることができるとともに出入りに邪魔になり難いドアガードを提供する。【解決手段】扉１に取着したベース１５に対して第１回動位置と第２回動位置の間を回動する回動アーム２２を設け、その回動アーム２２の基端部と先端部との間を移動可能となるように、閂部材３０を配設する。そして、閂部材３０は、回動アーム２２が第１回動位置にある状態で、閂部材３０が回動アーム２２の基端部側に位置したとき、閂部材３０の閂部３２が突出して扉１の外側に設けたストライク１１と係合可能になるとともに回動アーム２２に対して相対回動可能に支持される。又、閂部材３０は、閂部３２がストライク１１と係合した状態で、回動アーム２２が第２回動位置にあるとき、扉の開閉動作に連動する回動アーム２２に対して相対移動可能に支持される。【選択図】      図３
2008038413.tif 000002
【特許請求の範囲】
【請求項１】
扉に取着したベースに対して基端部が回動可能に連結されて扉に沿った第１回動位置と扉から離間した第２回動位置の間を回動するアーム部材を設け、そのアーム部材の基端部と先端部との間を移動可能に閂部材が配設され、
前記閂部材は、
前記アーム部材が前記第１回動位置にある状態で、前記閂部材がアーム部材の基端部側に位置したとき、前記閂部材の閂部が突出し前記扉の外側に設けた受け部材と係合可能になるとともに前記アーム部材に対して相対回動可能に支持され、
前記閂部材の閂部が前記受け部材と係合した状態で、前記アーム部材が前記第２回動位置にあるとき、前記扉の開閉動作に連動する前記アーム部材に対して相対移動可能に支持されることを特徴とするドアガード。
【請求項２】
請求項１に記載のドアガードにおいて、
前記アーム部材には、同アーム部材に沿って前記閂部材を案内する第１ガイド部が設けられ、
前記ベースには、前記アーム部材が前記第１回動位置にあるとき、前記閂部が前記受け部材に係合する係合位置と前記受け部材から離間する非係合位置との間を移動するように、前記閂部材を案内する第２ガイド部が設けられ、前記閂部が係合位置にある状態で前記アーム部材を前記第１回動位置と前記第２回動位置との間で前記閂部材に対して相対回動を許容するとともに前記アーム部材が前記第２回動位置にあるとき、前記閂部材を、前記第２ガイド部から前記アーム部材の第１ガイド部に案内する第３ガイド部が設けられ、
前記閂部材には、前記第１ガイド部に沿って案内される第１係合部が設けられているとともに、前記第２ガイド部に沿って案内されるとともに、第３ガイド部を介して前記第１ガイド部に案内される第２係合部が設けられていることを特徴とするドアガード。
【請求項３】
請求項２に記載のドアガードにおいて、
前記閂部材には、前記アーム部材の第１ガイド部に沿って案内されるとともに、同閂部材に対して相対回動可能に連結され、前記アーム部材が前記第１回動位置にあるとき、同閂部材を前記係合位置と前記非係合位置との間を移動操作し、前記アーム部材が前記第１回動位置から前記第２回動位置まで回動するとき、同閂部材に対して前記アーム部材とともに相対回動する操作部材が設けられていることを特徴とするドアガード。
【請求項４】
請求項３に記載のドアガードにおいて、
前記閂部材には、前記閂部から突出し、前記扉の外側に設けた受け部材と係合し、前記受け部材に対して前記アーム部材が前記第２回動位置から前記第１回動位置への回動するのを規制する回動規制部材が設けられ、
前記操作部材には、前記回動規制部材の基端部と摺接し、前記アーム部材が扉から離間する側に回動するとき、前記回動規制部材を前記閂部から突出させるカム部が設けられていることを特徴とするドアガード。
【請求項５】
請求項１〜４のいずれ１に記載のドアガードにおいて、
前記アーム部材には、同アーム部材が第２回動位置にあるとき、前記閂部材を同アーム部材の基端部と先端部との間の所定に位置で停止保持し、前記扉を所定の開放位置に保持する保持手段が設けられていることを特徴とするドアガード。
【発明の詳細な説明】
【技術分野】
【０００１】
本発明はドアガードに関するものである。
【背景技術】
【０００２】
従来、ドアガードは、外開き用の扉に対して回動可能に連結されたアームと、出入口の縦枠に連結した係止軸とから構成されたものが種々提案されている（例えば、特許文献１）。これらドアガードは、扉を少しだけ開放できるようにして、安全に訪問者を確認する場合に利用される。
【特許文献１】特開２００４−１９１３５
【発明の開示】
【発明が解決しようとする課題】
【０００３】
しかしながら、前記ドアガードは、アームと係合する係止軸は、出入口の縦枠に対して出っ張って設けられ、その係止軸の出っ張りが、出入りする際に邪魔になっていた。特に、出入り口が狭い場合には、衣服が引っ掛かり衣服を傷めるということが多々あった。
【０００４】
また、ドアガードは、扉の施錠とは独立したものであるため、ドアガードを使用する際、まず、アームを操作して係止軸に対して係合状態にした後、別の箇所に設けた鍵を解錠するといった操作が行われていた。従って、その操作が非常に面倒であった。
【０００５】
本発明は、上記問題点を解消すべく、その目的は、簡単な操作で施錠状態から扉を半開状態にすることができるとともに出入りに邪魔になり難いドアガードを提供することにある。
【課題を解決するための手段】
【０００６】
請求項１の発明は、扉に取着したベースに対して基端部が回動可能に連結されて扉に沿った第１回動位置と扉から離間した第２回動位置の間を回動するアーム部材を設け、そのアーム部材の基端部と先端部との間を移動可能に閂部材が配設され、前記閂部材は、前記アーム部材が前記第１回動位置にある状態で、前記閂部材がアーム部材の基端部側に位置したとき、前記閂部材の閂部が突出し前記扉の外側に設けた受け部材と係合可能になるとともに前記アーム部材に対して相対回動可能に支持され、前記閂部材の閂部が前記受け部材と係合した状態で、前記アーム部材が前記第２回動位置にあるとき、前記扉の開閉動作に連動する前記アーム部材に対して相対移動可能に支持されたドアガードである。
【０００７】
請求項２の発明は、請求項１に記載のドアガードにおいて、前記アーム部材には、同アーム部材に沿って案内する前記閂部材を第１ガイド部が設けられ、前記ベースには、前記アーム部材が前記第１回動位置にあるとき、前記閂部が前記受け部材に係合する係合位置と前記受け部材から離間する非係合位置との間を移動するように、前記閂部材を案内する第２ガイド部が設けられ、前記閂部が係合位置にある状態で前記アーム部材を前記第１回動位置と前記第２回動位置との間で前記閂部材に対して相対回動を許容するとともに前記アーム部材が前記第２回動位置にあるとき、前記閂部材を、前記第２ガイド部から前記アーム部材の第１ガイド部に案内する第３ガイド部が設けられ、前記閂部材には、前記第１ガイド部に沿って案内される第１係合部が設けられているとともに、前記第２ガイド部に沿って案内されるとともに、第３ガイド部を介して前記第１ガイド部に案内される第２係合部が設けられている。
【０００８】
請求項３の発明は、請求項２に記載のドアガードにおいて、前記閂部材には、前記アー
ム部材の第１ガイド部に沿って案内されるとともに、同閂部材に対して相対回動可能に連結され、前記アーム部材が前記第１回動位置にあるとき、同閂部材を前記係合位置と前記非係合位置との間を移動操作し、前記アーム部材が前記第１回動位置から前記第２回動位置まで回動するとき、同閂部材に対して前記アーム部材とともに相対回動する操作部材が設けられている。
【０００９】
請求項４の発明は、請求項３に記載のドアガードにおいて、前記閂部材には、前記閂部から突出し、前記扉の外側に設けた受け部材と係合し、前記受け部材に対して前記アーム部材が前記第２回動位置から前記第１回動位置への回動するのを規制する回動規制部材が設けられ、前記操作部材には、前記回動規制部材の基端部と摺接し、前記アーム部材が扉から離間する側に回動するとき、前記回動規制部材を前記閂部から突出させるカム部が設けられている。
【００１０】
請求項５の発明は、請求項１〜４のいずれ１に記載のドアガードにおいて、
前記アーム部材には、同アーム部材が第２回動位置にあるとき、前記閂部材を同アーム部材の基端部と先端部との間の所定に位置で停止保持し、前記扉を所定の開放位置に保持する保持手段が設けられている。
【発明の効果】
【００１１】
請求項１の発明によれば、アーム部材を第１回動位置に回動させた状態で、閂部と受け部材と係合させれば、内側からの扉を施錠状態にすることができ、閂部を受け部材と係合させた状態で、アーム部材を第２回動位置に回動させれば、扉を半開状態にすることができる。
【００１２】
従って、施錠した状態から、アーム部材を回動操作するという簡単な操作で、施錠状態から扉を半開状態にすることができる。また、扉側に設けたアーム部材に相対移動可能に閂部材を配設し、その閂部材の閂部を受け部材と係合させるとき、その閂部をアーム部材から突出させるようにした。従って、不使用時以外、閂部はアーム部材から突出しない。その結果、出入りの際に邪魔になり難く閂部に衣服を引っ掛け傷める心配はない。
【００１３】
請求項２の発明によれば、アーム部材を第１回動位置に回動させた状態で、閂部材は、同閂部材に設けた第２係合部とベースに設けた第２ガイド部とによって、係合位置と非係合位置との間を移動する。また、アーム部材に設けた許容部によって、閂部を受け部材と係合させた状態で、アーム部材を第２回動位置に回動させることができる。そして、閂部を受け部材と係合させた状態で、アーム部材を第２回動位置に回動させれば、閂部材は、同閂部材に設けた第２係合部がベースに設けた第３ガイド部を介してアーム部材に設けた第１ガイド部に案内されるとともに、その第２係合部が同閂部材に設けた第１係合部とともに前記第１ガイド部に沿って移動可能となる。従って、施錠した状態から、アーム部材を回動操作するという簡単な操作で、施錠状態から扉を半開状態にすることができる。
【００１４】
請求項３の発明によれば、操作部材は、アーム部材の第１ガイド部に沿って案内されることから、アーム部材が第１回動位置側に回動しているとき、閂部材を係合位置と非係合位置とに操作できる。また、操作部材は、閂部材に対してアーム部材とともに相対回動することから、アーム部材の回動操作に支障をきたさない。
【００１５】
請求項４の発明によれば、アーム部材が第２回動位置に回動しているとき、閂部の先端部に設けた回動規制部材が受け部材と係合して、アーム部材が扉側へ回動するのを規制するため、扉を完全に閉めアーム部材を第１回動位置に回動した後、閂部材を非係合位置に移動させない限り、扉は完全に解放させることはできない。
【００１６】
請求項５の発明によれば、扉は、保持手段によって所定の開放位置に保持される。従って、風通し等のために扉を半開き状態に保持することができる。
【発明を実施するための最良の形態】
【００１７】
以下、本発明のドアガードの一実施形態を図面に従って説明する。
図１において、扉１は、出入口枠２に対してヒンジ（図示せず）にて開閉可能に支持されている。扉１は外開き用の扉であって、その内側面１ａ（室内側の面）の上部と出入口枠２の横枠２ａとの間に、ドアクローザ３が設けられ、同ドアクローザ３によって、開放された扉１は全閉方向に回動力が付与され全閉されるようになっている。扉１の内側面１ａには、扉１内に設けられた錠ケース４から突出したサムターン５及びレバーハンドル６が設けられている。また、扉１と出入口枠２を取着した壁７との間に、ドアガード１０が設けられている。
【００１８】
ドアガード１０は、図２に示すように、壁７に固着された受け部材としてのストライク１１を有している。ストライク１１は、その基部１２がネジ（図示省略）にて壁７に固着され、その基部１２から係脱部１３が延出形成されている。係脱部１３は、図８に示すように、その受け口１３ａが扉側に向くように開口している。その係脱部１３の受け口１３ａには、図８（ｂ）に示すように、上下一対の抜け止め片１４が延出形成されている。
【００１９】
ドアガード１０は、ベース１５を有している。ベース１５は、扉１の内側面１ａにネジにて固着された図９に示す取付板１６に対してネジ（図示省略）にて連結固定されている。従って、ベース１５は、取付板１６を介して扉１に対して固着されている。
【００２０】
ベース１５は、図１０に示すように、前記ストライク１１側の端部の上下両側に一対の連結片１５ｂが延出形成されている。ベース１５の前面（以下、ストッパ壁１５ａという）であって、上下一対の連結片１５ｂの間には、上下方向に長い長方形状の第３ガイド部としての第３通路Ｓ３が貫通形成されている。また、第３通路Ｓ３の中央位置から、前記ストライク１１と反対方向に所定の幅を有した第２ガイド部としての第２通路Ｓ２が貫通形成されている。
【００２１】
第２通路Ｓ２を形成するストッパ壁１５ａの裏面には、図１０（ｃ）、（ｅ）に示すように、第２通路Ｓ２の上下周辺であって第３通路Ｓ３側から前記連結片１５ｂと反対方向に延びる上下一対の案内レール部１７が形成されている。そして、上下一対の案内レール部１７の終端には係止片１８がそれぞれ突出形成されている。また、上下一対の案内レール部１７の終端部には、浅い嵌合凹部１９がそれぞれ凹設されている。
【００２２】
第３通路Ｓ３の上下両側であって、その第３通路Ｓ３と連結片１５ｂの間のストッパ壁１５ａには、凹部２０がそれぞれ凹設され、その凹部２０には、有蓋筒状のラッチ２１が配設されている。そして、凹部２０の底部とラッチ２１の間にスプリングＳＰ１を介在させ、ラッチ２１を常に凹部２０から飛び出る方向に弾性力を付与するようになっている。
【００２３】
ドアガード１０は、ベース１５を介して扉１に対して回動可能に連結されたアーム部材としての回動アーム２２を有している。回動アーム２２は、その基端部がベース１５に設けた上下一対の連結片１５ｂに対してそれぞれの支持軸２３を介して回動可能に連結されている。回動アーム２２は、その前面２２ａに基端から先端部側に向かって第１ガイド部としての第１通路Ｓ１が凹設されている。従って、第１通路Ｓ１は、回動アーム２２の前面２２ａ側及び基端部側の側面２２ｂ（図１２参照）側が開放されている。また、図１１（ａ）に示すように、回動アーム２２の前面２２ａであって第１通路Ｓ１の周辺は、縁に近づくほど先細となるようにテーパ面２２ｔが形成されている。
【００２４】
第１通路Ｓ１は、その上下両内側面にガイド溝２４が凹設されている。そして、ガイド溝２４が形成された第１通路Ｓ１の側断面形状は、前記ベース１５に形成した第３通路Ｓ３の形状と一致するようになっている。また、第１通路Ｓ１であって、第１通路Ｓ１の先端部寄りの奥面には、図１１（ｂ）に示すように、上下方向に延びる保持手段を構成する突条２５が突出形成されている。突条２５は、前記奥面に対する先端部側の面と基端側の面の傾斜角度を異ならしている。本実施形態では、先端部側の面の傾斜角度を大きくし、基端側の面の傾斜角度を小さくしている。
【００２５】
第１通路Ｓ１の基端部側の奥面は、基端部側の側面２２ｂから切り欠き形成されて第４通路Ｓ４（図６及び図７参照）が形成されている。第４通路Ｓ４は、図２に示すように、回動アーム２２の背面２２ｃがベース１５のストッパ壁１５ａに当接する位置即ち扉側位置（以下、第１回動位置という）に位置するように、同回動アーム２２を回動させた時、ストッパ壁１５ａに形成した第２通路Ｓ２と一致する形状に形成されている。
【００２６】
また、図４に示すように、回動アーム２２が第１回動位置から離間する方向にほぼ９０度回動させた位置（以下、第２回動位置という）にあるとき、回動アーム２２の側面２２ｂとベース１５のストッパ壁１５ａが相対向する。そして、側面２２ｂから開口した第１通路Ｓ１とベース１５に形成した第３通路Ｓ３とが一直線上に連通する。
【００２７】
また、図１１に示すように、前記第４通路Ｓ４が切り欠き形成されてことによって、残されて形成された回動アーム２２の上下の連結片２２ｄの側面には、円弧面２６がそれぞれ形成されている。円弧面２６は、前記回動アーム２２を支持軸２３を回動中心として回動させたとき、前記ラッチ２１をスプリングＳＰ１の弾性力に抗して凹部２０に押し込めながら、同回動アーム２２の回動を許容する。各円弧面２６には、第１嵌合凹部２６ａ及び第２嵌合凹部２６ｂがそれぞれ凹設されている。
【００２８】
第１嵌合凹部２６ａは、回動アーム２２が第１回動位置にあるとき、前記ラッチ２１が嵌合する位置に凹設されている。第２嵌合凹部２６ｂは、回動アーム２２が第２回動位置にあるとき、前記ラッチ２１が嵌合する位置に凹設されている。従って、回動アーム２２は、第１回動位置と第２回動位置との間で回動操作する際、弾性力を付与されたラッチ２１、円弧面２６、第１及び第２嵌合凹部２６ａ，２６ｂで節度機構が構成されている。つまり、第１又は第２回動位置に到達したことを感じさせるクリック感を付与するとともに、第１又は第２回動位置に操作された回動アーム２２の回動位置を保持する。また、第１又は第２回動位置に操作された回動アーム２２を他の回動位置へ回動操作するさいの、ラッチ２１が第１又は第２嵌合凹部２６ａ，２６ｂから外れる際の操作感及び他の回動位置までの操作途中の操作感を付与する。
【００２９】
また、回動アーム２２の先端部には、緩衝部材としてのゴム製のカバー２７が取着されている。
ドアガード１０は、回動アーム２２が第１回動位置にある時、重なり合った第２通路Ｓ２と第４通路Ｓ４に沿って移動可能するとともに、回動アーム２２が第２回動位置にある時、直線上に配置された第１通路Ｓ１と第３通路Ｓ３に沿って移動するように配置された閂部材３０を有している。
【００３０】
図１３に示すように、閂部材３０は、略Ｌ字状に形成され、基部３１と閂部３２とで構成されている。基部３１は、四角柱状に形成され、その前側部から四角柱状の閂部３２が同基部３１の直交するように形成されている。
【００３１】
基部３１は、後側部には上面及び下面から突出した上下一対の第２係合部としての後部ガイドピンＰ１が形成されているとともに、前側部には上面及び下面から突出した上下一
対の第１係合部としての前部ガイドピンＰ２が形成されている。そして、基部３１は、回動アーム２２が第１回動位置にある時、重なり合った第２通路Ｓ２と第４通路Ｓ４に対して直交するように同第２通路Ｓ２及び第４通路Ｓ４に配置されようになっていて、その両第２通路Ｓ２及び第４通路Ｓ４に沿って往復移動する。この時、基部３１から突出した上下一対の後部ガイドピンＰ１は、図１０（ｅ）に２点鎖線で示すように、それぞれ前記上下一対の案内レール部１７に摺動可能に係合し、上下一対の前部ガイドピンＰ２は、前記第１通路Ｓ１に形成したガイド溝２４に摺動可能に係合するようになっている。
【００３２】
従って、回動アーム２２が第１回動位置にある時、基部３１は、後部ガイドピンＰ１が案内レール部１７の終端に形成した係止片１８と係合する位置（閂部材３０が図２に示す状態であってこれを以下、待機位置という）と、第２通路Ｓ２から外れた第３通路Ｓ３の位置（閂部材３０が図３に示す状態にあって、以下、作用位置という）との間を往復移動する。そして、上下一対の後部ガイドピンＰ１が案内レール部１７に摺動しているときには、同後部ガイドピンＰ１が案内レール部１７に、また、上下一対の前部ガイドピンＰ２がガイド溝２４に係合状態にあるため、回動アーム２２を第１回動位置から第２回動位置側に回動させることができない。
【００３３】
この時、閂部３２は、第１通路Ｓ１に対して平行に同第１通路Ｓ１に配置され、基部３１の待機位置と作用位置との間の往復移動に伴って、回動アーム２２の基端部側の側面２２ｂ側から出没するようになっている。つまり、閂部３２はストライク１１と係脱可能となる。詳述すると、基部３１が作用位置にあるとき、閂部３２はストライク１１に係合し、基部３１が待機位置にあるとき、閂部３２はストライク１１から外れる。
【００３４】
また、基部３１が第２通路Ｓ２及び第４通路Ｓ４から外れた第３通路Ｓ３の位置、即ち作用位置にある時、図１０（ｂ）に２点鎖線で示すように、後部ガイドピンＰ１が案内レール部１７から外れ第３通路Ｓ３に配置される。従って、後部ガイドピンＰ１（基部３１）はベース１５との係合状態が解かれる。その結果、閂部３２をストライク１１に係合させた状態で、回動アーム２２を第１回動位置から第２回動位置側に回動させることが可能となる。
【００３５】
さらに、閂部材３０は作用位置にある時、前記前部ガイドピンＰ２の中心軸線と回動アーム２２を回動可能に支持する支持軸２３の中心軸線が一致するようになっている。
また、基部３１は、回動アーム２２が第２回動位置にある時、第１通路Ｓ１に対して平行に同第１通路Ｓ１に配置されるようになり、その第１通路Ｓ１に沿って移動する。そして、基部３１に形成した後部ガイドピンＰ１及び前部ガイドピンＰ２は、第１通路Ｓ１に形成したガイド溝２４に嵌合しているので、第１通路Ｓ１を移動する基部３１は回動アーム２２の前面２２ａから抜け出ることはない。
【００３６】
この時、閂部３２は、第１通路Ｓ１に対して直交する方向であって回動アーム２２の前面２２ａから突出するように配置され、基部３１とともに第１通路Ｓ１に沿った移動をする。
【００３７】
従って、回動アーム２２が第１回動位置にある時、閂部材３０は、第２通路Ｓ２及び第４通路Ｓ４に沿って待機位置と作用位置との間を移動する。そして、図２に示す待機位置に閂部材３０が位置している時、閂部３２は回動アーム２２に第１通路Ｓ１内に収容される。反対に、図３に示す作用位置に閂部材３０が位置している時、閂部３２は第１通路Ｓ１から突出してストライク１１の受け口１３ａに進入し同ストライク１１と係合し扉１は施錠された状態となる。
【００３８】
この施錠した状態から、回動アーム２２を第１回動位置から第２回動位置に回動させる
と、回動アーム２２の側面２２ｂから開口した第１通路Ｓ１がベース１５に形成した第３通路Ｓ３と相対向し一直線上に連通する。従って、基部３１の後部ガイドピンＰ１は、第３通路Ｓ３から第１通路Ｓ１に進入可能な状態となる。その結果、この状態で扉１を外側に開けると、ストライク１１に係合している閂部材３０は係合状態を維持した状態で、回動アーム２２は扉１と伴に移動する。つまり、閂部材３０の基部３１に設けた上下一対の後部ガイドピンＰ１が第３通路Ｓ３から第１通路Ｓ１のガイド溝２４に進入して、基部３１は第１通路Ｓ１内で回動アーム２２に対して相対移動することから、扉１は外側（開き方向）に回動可能となる。
【００３９】
また、図１３に示すように、基部３１の前側部であって閂部３２の反対側側面には、連結凹部３３が凹設され、その連結凹部３３によって上下両側部に一対の連結片３４が形成されている。
【００４０】
一方、閂部材３０の閂部３２は、その上下方向の厚さは基部３１の上下方向の厚さと同じ形成され、回動アーム２２が第２回動位置に回動する時、同閂部３２が第１通路Ｓ１から回動アーム２２の前面２２ａ側に突出するようになっている。閂部３２の上下両側面には、膨出部３２ａが形成されている。膨出部３２ａは、閂部３２に回動アーム２２の第２回動位置から第１回動位置への回動を規制する回動規制機構を内蔵するために形成され、作用位置に閂部材３０が位置しているとき、回動アーム２２の回動を可能にするために完全に回動アーム２２から突出した位置に形成される。
【００４１】
閂部３２内には回動規制機構が設けられている。回動規制機構は、閂部３２に設けた上下一対の膨出部３２ａの先端部にそれぞれ設けた貫通穴３２ｂから、回動規制部材を構成する係止ピンＰ３を出没させる機構であって、図示しない弾性部材にて常に前記基部３１の連結凹部３３から突出する方向に弾性力が付与されている操作レバー３５を有している。そして、回動規制機構は、連結凹部３３から突出した回動規制部材を構成する操作レバー３５の基端を弾性力に抗して押圧すると、その操作レバー３５の動作に基づいて貫通穴３２ｂから係止ピンＰ３（図１３（ｂ）２点鎖線参照）が突出し、その押圧を解除し弾性力にて操作レバー３５の基端が突出すると、その動作に基づいて貫通穴３２ｂに係止ピンＰ３が没入するようになっている。
【００４２】
前記基部３１の上下一対の連結片３４に対して、図１５に示すように、操作部材としてのタブ３６が回動可能に連結されている。タブ３６は、図１４に示すように、第１通路Ｓ１内を移動するスライダ部３７を有している。スライダ部３７は、第１通路Ｓ１（ガイド溝２４も含む）に側断面形状に合わせた四角形状に形成され、その一側（閂部材３０側）から他側に向かって切り込み３８（図１４（ｂ）参照）が形成され、その切り込み３８によってそのスライダ部３７には弾性片３７ａが形成されている。従って、弾性片３７ａは、外側から外力が加わると、切り込み３８側に弾性変形して撓むようになっている。また、弾性片３７ａの外側先端部分に保持手段を構成する係合突起３９が形成され、前記第１通路Ｓ１の先端部寄りの奥面に形成した突条２５と係合するようになっている。従って、係合突起３９が回動アーム２２の基端側から突条２５を乗り越えて同突条２５と係合すると、その係合によってスライダ部３７は、弾性片３７ａを撓ませて突条２５の先端側から係合突起３９を乗り越える力を付与しない限りその係合した状態が保持される。
【００４３】
スライダ部３７の前側には、回動アーム２２の前面２２ａに突出する首部４０が設けられ、その首部４０の先端部には回動アーム２２の前面２２ａを摺接する操作部４１が形成されている。操作部４１は左右一対の指当て部が凹設されている。首部４０の一側（閂部材３０側）には、連結片４２が延出形成されている。連結片４２は、基部３１に形成した前記連結凹部３３に嵌合して、基部３１の上下一対の前記連結片３４と軸（前部ガイドピンＰ２）を介して回動可能に連結されている。
【００４４】
従って、回動アーム２２が第１回動位置にある時、図１５（ａ）に示すように、タブ３６と閂部３２は一直線状に配置され、タブ３６と基部３１は直交するように配置されることになる。また、回動アーム２２が第２回動位置にある時、図１５（ｂ）に示すように、タブ３６と基部３１は一直線状に配置され、タブ３６と閂部３２は直交するように配置されることになる。
【００４５】
タブ３６の連結片４２は、連結部の側面には、カム４４が形成されている。カム４４は、閂部３２に設けた操作レバー３５の基端と当接する。そして、カム４４は、タブ３６が閂部３２に対して直交配置されると（回動アーム２２を第２回動位置に回動させると）、操作レバー３５の基端を押圧して貫通穴３２ｂから係止ピンＰ３を突出させるカム部４４ｂを有する。また、カム４４は、タブ３６が閂部３２に対して一直線上に配置されると（回動アーム２２を第１回動位置に回動させると）、弾性力にて操作レバー３５の基端を突出させ貫通穴３２ｂに係止ピンＰ３を没入させるカム部４４ａを有する。
【００４６】
つまり、回動アーム２２が第１回動位置にあって、タブ３６を操作して閂部材３０を待機位置から作用位置に移動させ、閂部３２がストライク１１の受け口１３ａに進入し施錠状態になる。この状態から、回動アーム２２を第２回動位置まで回動させると、タブ３６は、回動アーム２２とともに移動して閂部材３０に対して相対回動する。この回動に基づいて貫通穴３２ｂから係止ピンＰ３が突出する。
【００４７】
この係止ピンＰ３が突出させた状態で、扉１を開けることによって扉１とともに連動する回動アーム２２が閂部材３０に対して相対移動すると、タブ３６は閂部３２に対して直交した配置が保持され、係止ピンＰ３が突出したままとなる。この状態になると、回動アーム２２を第１回動位置に回動させようとしても、図８（ｂ）に２点鎖線で示すように、貫通穴３２ｂから係止ピンＰ３がストライク１１の受け口１３ａに形成した上下一対の抜け止め片１４と係合するため、回動不能となる。
【００４８】
次に上記のように構成されたドアガード１０の使用方法について説明する。
（閂部材３０による施錠）
いま、扉１が全閉位置にあって、図２に示すように回動アーム２２が第１回動位置にあって閂部材３０が待機位置ある状態から、図３に示すように閂部材３０を作用位置に移動させる。これによって、閂部材３０の閂部３２は第１通路Ｓ１から突出してストライク１１の受け口１３ａに進入し同ストライク１１と係合し扉１を施錠する。このとき、扉１を外側に開こうとしても、支持軸２３の中心軸線と前部ガイドピンＰ２の中心軸線が一致しているため、回動アーム２２には第２回動位置側へ回動させる力は働かないので、扉１は全閉位置に保持される。
【００４９】
（訪問者の確認）
いま、扉１が全閉位置にあって、図３に示す施錠状態から、回動アーム２２だけを第１回動位置から図４及び図６に示す第２回動位置まで回動させると、回動アーム２２の側面２２ｂから開口した第１通路Ｓ１がベース１５に形成した第３通路Ｓ３と相対向し一直線上に連通して、閂部材３０の基部３１が第３通路Ｓ３から第１通路Ｓ１に進入可能な状態となる。この時、閂部３２の貫通穴３２ｂから係止ピンＰ３が突出する。
【００５０】
この状態で扉１を外側に開けると、ストライク１１に係合している閂部材３０は係合状態を維持した状態で、図５に示すように回動アーム２２は扉１と伴に移動して同扉１を半開き状態にする。そして、タブ３６が第１通路Ｓ１に当接すると、それ以上扉１を開くことはできない。しかも、貫通穴３２ｂから突出した係止ピンＰ３がストライク１１の受け口１３ａに形成した抜け止め片１４と係合しているため、間違って回動アーム２２を第１
回動位置に回動させて、扉１を全開可能な状態にさせることはない。
【００５１】
従って、扉１を半開き状態にして安全に訪問者を確認することができる。
（換気のため扉１を開ける場合）
前記した訪問者の確認の場合と同様に、図５に示すように、スライダ部３７の係合突起３９が第１通路Ｓ１に形成した突条２５と係合するまで、扉１を開く。これによって、係合突起３９と突条２５の係合に基づいて、回動アーム２２と閂部材３０の相対移動を阻止しその係合した位置（半開き位置）に保持でき、防犯を確保しつつ換気のため扉１を開け続けることができる。
【００５２】
この半開き状態は、タブ３６の操作部４１を首部４０に向かって押圧し弾性片３７ａを撓ませて突条２５から係合突起３９を解除することによって可能である。
従って、上記実施形態によれば以下の効果を得ることができる。
【００５３】
（１）本実施形態のドアガード１０は、扉１に対して回動可能に連結した回動アーム２２に閂部材３０を設け、同回動アーム２２を第１回動位置に回動させた状態で、閂部材３０を作用位置に移動させることによって閂部３２とストライク１１とを係合させれば、内側からの扉を施錠状態にすることができる。この時、閂部材３０が第３通路Ｓ３に案内されて、回動アーム２２が第１回動位置と第２回動位置との間を回動することができる。そして、閂部３２をストライク１１に係合させた状態で、回動アーム２２を第２回動位置に回動させれば、閂部材３０は回動アームに対して相対移動となり、扉を半開状態にすることができる。
【００５４】
従って、閂部材３０を作用位置に操作するだけで、簡単に施錠することができる。そして、施錠した状態から、回動アーム２２を回動操作するという簡単な操作で、施錠状態から扉を半開状態にすることができる。
【００５５】
（２）本実施形態のドアガード１０は、閂部材３０を扉１に設けた回動アーム２２に相対移動可能に配設し、その閂部材３０の閂部３２をストライク１１と係合させるとき、閂部３２を回動アーム２２から突出させるようにした。従って、不使用時以外、閂部３２は回動アーム２２から突出しない。その結果、出入りの際に邪魔になり難く閂部３２に衣服を引っ掛け傷める心配はない。
【００５６】
（３）本実施形態のドアガード１０において、タブ３６は、回動アーム２２の第１通路Ｓ１に沿って案内されることから、回動アーム２２が第１回動位置側に回動しているとき、閂部材３０を係合位置（作用位置）と非係合位置（待機位置）とに操作できる。また、タブ３６は、閂部材３０に対して回動アーム２２とともに相対回動することから、回動アーム２２の回動操作に支障をきたさない。
【００５７】
（４）本実施形態のドアガード１０は、回動アーム２２が第２回動位置にある時、閂部３２の先端部に設けた係止ピンＰ３がストライク１１の抜け止め片１４と係合して、回動アーム２２が第１回動位置側へ回動するのを阻止するため、全開することなく確実に半開き状態にすることができる。
【００５８】
（５）本実施形態のドアガード１０は、回動アーム２２の第１通路Ｓ１に突条２５を設け、タブ３６に係合突起３９を設け、係合突起３９と突条２５を係合させることで、回動アーム２２と閂部材３０の相対移動を阻止しその係合した位置（半開き位置）に扉１保持できる。その結果、防犯を確保しつつ換気のため扉１を開け続けることができる。
【００５９】
（６）本実施形態のドアガード１０は、閂部材３０が待機位置にあるとき、回動アーム
２２は、閂部材３０の基部３１（後部ガイドピンＰ１及び前部ガイドピンＰ２）を介してベース１５に対して連結されているため、第１回動位置から第２回動位置側に回動することがない。従って、扉１が全開状態から勢いよく閉じた時、その衝撃が回動アーム２２に伝わりその反動で第２回動位置側に回動することはない。その結果、室外に閉め出される虞はない。
【００６０】
（７）本実施形態のドアガード１０は、回動アーム２２を第１回動位置にして閂部材３０を作用位置に移動させると、閂部３２とストライク１１と係合し扉１を施錠する。従って、錠ケース４のサムターン５を操作して扉１を施錠するのと、ドアガード１０での施錠が合わせて行うことができ、戸締まりをより厳重にすることができる。
【００６１】
（８）本実施形態のドアガード１０は、回動アーム２２の先端部にゴム製のカバー２７を取着した。従って、回動アーム２２が第２回動位置あって扉１に対して起立した状態にあるとき、何らかの原因で人が当たってもカバー２７によってその衝撃を和らげることができる。
【００６２】
（９）本実施形態のドアガード１０は、ベース１５に凹部２０を形成し、その凹部２０にスプリングＳＰ１を介在させてラッチ２１を配置し、一方、回動アーム２２の連結片２２ｄに、ラッチ２１を圧接しながら摺動する円弧面２６を形成するとともに、回動アーム２２の第１回動位置と第２回動位置でラッチ２１が嵌合する第１嵌合凹部２６ａ及び第２嵌合凹部２６ｂを凹設した。従って、回動アーム２２を、第１又は第２回動位置にまで操作すると、ラッチ２１の第１嵌合凹部２６ａ又は第２嵌合凹部２６ｂへの嵌りこみによってクリック感が付与される。その結果、第１又は第２回動位置に回動アーム２２が操作されたことをこのクリック感で容易に知ることができる。
【００６３】
（１０）本実施形態のドアガード１０は、後部ガイドピンＰ１が摺動する案内レール部１７に嵌合凹部１９を形成し、閂部材３０が待機位置に操作されたとき、後部ガイドピンＰ１が嵌合凹部１９に嵌り込みその嵌り込みによりクリック感が付与される。従って、閂部材３０が待機位置に操作されたことをそのクリック感で容易に知ることができる。
【００６４】
なお、上記実施形態は、以下のように変更してもよい。
・上記実施形態のドアガード１０は、第１通路Ｓ１に１つの突条２５を形成したが、複数設けて、複数種類の半開き状態を設定保持できるようにしてもよい。
【００６５】
・上記実施形態のドアガード１０は、換気ができるように第１通路Ｓ１に突条２５を、タブ３６に係合突起３９を形成し所定の半開き状態を保持できるようにしたが、所定の半開き状態を保持できないドアガードに応用してもよい。
【００６６】
・上記実施形態のドアガード１０は、ベース１５を取付板１６を介して扉１の内側面１ａに固着したが、取付板１６を省略して、ベース１５を直接扉１に固着して実施してもよい。
【００６７】
・上記実施形態のドアガード１０は、閂部材３０を待機位置に操作したとき、クリック感を付与するように構成したが、これを省略してもよい。
・上記実施形態のドアガード１０は、回動アーム２２を第１回動位置及び第２回動位置に操作したとき、クリック感を付与するように構成したが、これを省略してもよい。
【図面の簡単な説明】
【００６８】
【図１】実施形態における外開き用の扉の内側から見た正面図。
【図２】閂部材が待機位置にあるドアガードを示す図。
【図３】閂部材が使用位置にあるドアガードを示す図。
【図４】回動アームが第２回動位置にあるドアガードを示す図。
【図５】扉を半開き状態に保持したドアガードを示す図。
【図６】第２回動位置にあるドアガードの回動アームを後側からみた図。
【図７】扉を半開き状態に保持したドアガードの回動アームを後側からみた図。
【図８】（ａ）はストライクの斜視図、（ｂ）はストライクの要部断面図。
【図９】取付板とベースを説明するための斜視図。
【図１０】（ａ）はベースの斜視図、（ｂ）はベースの正面図、（ｃ）はベースの背面図、（ｄ）はベースの側断面図、（ｅ）はベースの平断面図。
【図１１】（ａ）は回動アームの縦断面図、（ｂ）は回動アームの要部平断面図。
【図１２】回動アームの基端部側から見た斜視図。
【図１３】（ａ）は閂部材の斜視図、（ｂ）は閂部材の側面図。
【図１４】（ａ）はタブの斜視図、（ｂ）はタブの平面図
【図１５】（ａ）は回動アームが第１回動位置にある時のタブと閂部材の関係を示す図、（ｂ）は回動アームが第２回動位置にある時のタブと閂部材の関係を示す図。
【符号の説明】
【００６９】
１…扉、２…出入口枠、２ａ…横枠、２ｂ…縦枠、３…ドアクローザ、１０…ドアガード、１１…受け部材としてのストライク、１４…、Ｐ２…第２係合部としての前部ガイドピン抜け止め片、１５…ベース、２１…ラッチ、２２…アーム部材としての回動アーム、２４…ガイド溝、２５…保持手段を構成する突条、２６…円弧面、３０…閂部材、３１…基部、３２…閂部、３５…回動規制手段を構成する操作レバー、３６…操作部材としてのタブ、３９…保持手段を構成する係合突起、４４…回動規制手段を構成するカム、４４ａ，４４ｂ…カム部、Ｓ１…第１ガイドとしての第１通路、Ｓ２…第２ガイド部としての第２通路、Ｓ３…第３ガイド部としての第３通路、Ｓ４…第４通路、Ｐ２…第１係合部としての後部ガイドピン、Ｐ１…第２係合部としての前部ガイドピン、Ｐ３…回動規制手段を構成する係止ピン。
【図１】
2008038413.tif 000003
【図２】
2008038413.tif 000004
【図３】
2008038413.tif 000005
【図４】
2008038413.tif 000006
【図５】
2008038413.tif 000007
【図６】
2008038413.tif 000008
【図７】
2008038413.tif 000009
【図８】
2008038413.tif 000010
【図９】
2008038413.tif 000011
【図１０】
2008038413.tif 000012
【図１１】
2008038413.tif 000013
【図１２】
2008038413.tif 000014
【図１３】
2008038413.tif 000015
【図１４】
2008038413.tif 000016
【図１５】
2008038413.tif 000017